(57)【要約】【課題】  プリセットがなされていない画像形成装置に対して、当該プリセットがなされている画像形成装置に対する操作に可及的に近い操作感で操作を行えるようにする。【解決手段】  モバイル端末３０３から送信された設定情報に補正処理時の制御方法の指定がない場合であって、当該設定情報で指定されている機能（エレメント）を実行する能力がない場合、画像形成装置３０５は、自己の能力に応じた設定になるように設定情報を修正する。一方、モバイル端末３０３から送信された設定情報に補正処理時の制御方法の指定がある場合であって、当該設定情報で指定されている機能（エレメント）を実行する能力がない場合、画像形成装置３０５は、その制御方法に応じて、当該機能の中止又は当該機能の修正の確認後の修正を行う。【選択図】  図３
2015207875.tif 000002
【特許請求の範囲】
【請求項１】
画像形成装置における機能を実行するために必要な設定の内容を示す設定情報を受信する受信手段と、
前記受信手段により受信された前記設定情報に示される前記設定で前記機能を実行することができるか否かを判定する判定手段と、
前記判定手段により、前記設定情報に示される前記設定で前記機能を実行することができないと判定された場合に、前記設定情報に示される前記設定を、前記画像形成装置が前記機能を実行することができる設定に変更する変更手段と、
前記設定情報に基づく設定を行って、前記機能を実行する実行手段と、を有し、
前記実行手段は、前記変更手段により、前記設定情報が変更された場合には、当該変更された前記設定情報に基づいて、前記機能を実行することを特徴とする画像形成装置。
【請求項２】
前記判定手段により、前記設定情報に示される前記設定で前記機能を実行することができないと判定された場合に、前記設定情報に示される前記設定の変更を許可するかどうかをユーザに確認させるための確認画面を表示する表示手段を更に有し、
前記変更手段は、前記確認画面に対する操作に基づき、前記設定情報に示される前記設定の変更を許可することが指示された場合に、前記設定情報に示される前記設定を、前記画像形成装置が前記機能を実行することができる設定に変更することを特徴とする請求項１に記載の画像形成装置。
【請求項３】
前記設定情報に示される前記設定の変更を許可するかどうかをユーザに確認させるための確認画面を表示することを示す情報が前記設定情報に含まれている場合、前記表示手段は、前記確認画面を表示することを特徴とする請求項２に記載の画像形成装置。
【請求項４】
前記画像形成装置が前記機能を実行することができる状態であればユーザによる確認を行わずに前記機能を実行することを示す情報が前記設定情報に含まれている場合、前記実行手段は、前記機能の実行の可否をユーザに確認せずに前記機能を実行することを特徴とする請求項１〜３の何れか１項に記載の画像形成装置。
【請求項５】
前記設定情報に示される前記設定では前記機能を実現することができない場合には、当該機能の実行を中止することを示す情報が前記設定情報に含まれている場合、前記実行手段は、前記機能を実行しないことを特徴とする請求項１〜４の何れか１項に記載の画像形成装置。
【請求項６】
前記受信手段は、前記設定情報を、情報端末から無線通信を用いて受信することを特徴とする請求項１〜５の何れか１項に記載の画像形成装置。
【請求項７】
画像形成装置における機能を実行するために必要な設定の内容を示す設定情報を、少なくとも１つの機能について少なくとも１つ取得する取得手段と、
前記取得手段により取得された前記設定情報を記憶する記憶手段と、
前記記憶手段により記憶された前記設定情報の中からユーザにより選択された少なくとも１つの前記設定情報を送信する送信手段と、を有し、
前記送信手段は、前記設定情報に示される前記設定を前記画像形成装置が実現できるか否かを確認することなく、前記設定情報を送信することを特徴とする情報端末。
【請求項８】
前記設定情報には、前記画像形成装置が前記設定情報に示される前記設定で前記機能を実行することができない場合の当該画像形成装置における処理の内容を示す情報が含まれることを特徴とする請求項７に記載の情報端末。
【請求項９】
前記画像形成装置が前記設定情報に示される前記設定で前記機能を実行することができない場合の当該画像形成装置における処理の内容は、前記機能の実行の中止、又は、前記設定の変更を許可するかどうかをユーザに確認させるための確認画面の表示であることを特徴とする請求項８に記載の情報端末。
【請求項１０】
前記設定情報には、前記画像形成装置が前記機能を実行することができる状態であればユーザによる確認を行わずに前記機能を実行することを示す情報が含まれることを特徴とする請求項７〜９の何れか１項に記載の情報端末。
【請求項１１】
前記送信手段は、同じ機能についての複数の前記設定情報がユーザにより選択されると、当該複数の前記設定情報を統合して送信することを特徴とする請求項７〜１０の何れか１項に記載の情報端末。
【請求項１２】
前記送信手段は、前記送信手段を画像形成装置に無線通信を用いて送信することを特徴とする請求項７〜１１の何れか１項に記載の情報端末。
【請求項１３】
画像形成装置における機能を実行するために必要な設定の内容を示す設定情報を受信する受信工程と、
前記受信工程により受信された前記設定情報に示される前記設定で前記機能を実行することができるか否かを判定する判定工程と、
前記判定工程により、前記設定情報に示される前記設定で前記機能を実行することができないと判定された場合に、前記設定情報に示される前記設定を、前記画像形成装置が前記機能を実行することができる設定に変更する変更工程と、
前記設定情報に基づいて、前記機能を実行する実行工程と、を有し、
前記実行工程は、前記変更工程により、前記設定情報が変更された場合には、当該変更された前記設定情報に基づいて、前記機能を実行することを特徴とする画像形成装置の制御方法。
【請求項１４】
画像形成装置における機能を実行するために必要な設定の内容を示す設定情報を、少なくとも１つの機能について少なくとも１つ取得する取得工程と、
前記取得工程により取得された前記設定情報を記憶する記憶工程と、
前記記憶工程により記憶された前記設定情報の中からユーザにより選択された少なくとも１つの前記設定情報を前記画像形成装置に送信する送信工程と、を有し、
前記送信工程は、前記設定情報に示される前記設定を前記画像形成装置が実現できるか否かを確認することなく、前記設定情報を送信することを特徴とする情報端末の制御方法。
【請求項１５】
請求項１〜６の何れか１項に記載の画像形成装置の各手段としてコンピュータを機能させることを特徴とするプログラム。
【請求項１６】
請求項７〜１２の何れか１項に記載の情報端末の各手段としてコンピュータを機能させることを特徴とするプログラム。
【発明の詳細な説明】
【技術分野】
【０００１】
本発明は、画像形成装置、情報端末、及びプログラムに関し、特に、情報端末からの指示により画像形成装置を動作させるために用いて好適なものである。
【背景技術】
【０００２】
多くの画像形成装置はプリセットボタンを持っている。予め設定の内容を画像形成装置に記憶させておき、その設定の内容をプリセットボタンの操作に基づき呼び出すことにより、複雑な設定であっても簡単に画像形成装置に対する設定を行って、その設定の内容（機能）を使用することができる。また、このような設定の内容を個人毎に保存することによって、さらに利便性を高めたものもある（特許文献１を参照）。尚、以下の説明では、このような設定を必要に応じてプリセットと称する。
【先行技術文献】
【特許文献】
【０００３】
【特許文献１】特開２０１０−１１４８２５号公報
【発明の概要】
【発明が解決しようとする課題】
【０００４】
しかし、プリセットの内容を個々の画像形成装置に予め設定しておく必要があるため、次のような問題点がある。
ユーザは、同じ機種の画像形成装置の場合でも、プリセットがなされていない画像形成装置に対しては、プリセットがなされている画像形成装置における通常の操作を行っても、そのプリセットによる機能の実行を指示できない。つまり、ユーザが通常使用している画像形成装置にプリセットされている内容が、例えば別のフロアに設置されている画像形成装置や、別の事業所の画像形成装置には設定されていないことがほとんどである。さらに出張先の画像形成装置には、所望のプリセットはなされていない。所望のプリセットがなされていない画像形成装置を使用する際には、同じ機種の同じ機能に対して同じ使い方をする場合であったとしても、通常とは違う操作をユーザは強いられることになり、不便である。
本発明は、このような問題点に鑑みてなされたものであり、プリセットがなされていない画像形成装置を、当該プリセットがなされている画像形成装置に対する操作に可及的に近い操作感で操作を行えるようにすることを目的とする。
【課題を解決するための手段】
【０００５】
本発明の画像形成装置は、画像形成装置における機能を実行するために必要な設定の内容を示す設定情報を受信する受信手段と、前記受信手段により受信された前記設定情報に示される前記設定で前記機能を実行することができるか否かを判定する判定手段と、前記判定手段により、前記設定情報に示される前記設定で前記機能を実行することができないと判定された場合に、前記設定情報に示される前記設定を、前記画像形成装置が前記機能を実行することができる設定に変更する変更手段と、前記設定情報に基づく設定を行って、前記機能を実行する実行手段と、を有し、前記実行手段は、前記変更手段により、前記設定情報が変更された場合には、当該変更された前記設定情報に基づいて、前記機能を実行することを特徴とする。
本発明の情報端末は、画像形成装置における機能を実行するために必要な設定の内容を示す設定情報を、少なくとも１つの機能について少なくとも１つ取得する取得手段と、前記取得手段により取得された前記設定情報を記憶する記憶手段と、前記記憶手段により記憶された前記設定情報の中からユーザにより選択された少なくとも１つの前記設定情報を送信する送信手段と、を有し、前記送信手段は、前記設定情報に示される前記設定を前記画像形成装置が実現できるか否かを確認することなく、前記設定情報を送信することを特徴とする。
【発明の効果】
【０００６】
本発明によれば、プリセットがなされていない画像形成装置を、当該プリセットがなされている画像形成装置に対する操作に可及的に近い操作感で操作を行うことができる。
【図面の簡単な説明】
【０００７】
【図１】画像形成装置のハードウェアの構成を示す図である。
【図２】情報処理装置のハードウェアの構成を示す図である。
【図３】画像処理システムの構成を示す図である。
【図４】画像形成装置の機能的な構成を示す図である。
【図５】情報端末の機能的な構成を示す図である。
【図６Ａ】設定情報の第１の例を示す図である。
【図６Ｂ】設定情報の第２の例を示す図である。
【図６Ｃ】設定情報の第３の例を示す図である。
【図６Ｄ】設定情報の第４の例を示す図である。
【図６Ｅ】設定情報の第５の例を示す図である。
【図７】画像形成装置と情報端末の動作の概要を説明するフローチャートである。
【図８】ステップＳ７１４の詳細を説明するフローチャートである。
【図９】ステップＳ８０４の詳細を説明するフローチャートである。
【図１０】ステップＳ８０３の詳細を説明するフローチャートである。
【図１１】ステップＳ９０１、Ｓ１００１の詳細を説明するフローチャートである。
【図１２】設定情報生成画面を示す図である。
【図１３】情報端末の表示画面の第１の例を示す図である。
【図１４】情報端末の表示画面の第１、第２の例を示す図である。
【発明を実施するための形態】
【０００８】
以下、本発明の一実施形態を、図面を参照しながら説明する。
図１は、画像形成装置のハードウェアの構成の一例を示す図である。
図１において、コントローラユニット１００は、画像形成装置の制御を行う装置である。ＣＰＵ１０１は、システム全体を制御するための演算装置である。システムバス１１１には、ＣＰＵ１０１、ＲＡＭ１０２、ＲＯＭ１０３、ＨＤＤ１０４、操作部Ｉ／Ｆ１０５、デバイスＩ／Ｆ１０７、ネットワークＩ／Ｆ１１０、及び無線Ｉ／Ｆ１１２が接続される。ＣＰＵ１０１は、システムバス１１１に接続された各装置を統括的に制御する。
【０００９】
ＲＡＭ１０２は、ＣＰＵ１０１が動作するためのシステムワークメモリであり、画像データを一時的に記憶するための画像メモリでもある。また、ＲＡＭ１０２には、オペレーティングシステムや、システムソフトウェア、アプリケーショソフトウェア等のプログラムや、データも一時的に記憶（展開）される。
ＲＯＭ１０３には、システムのブートプログラムが格納される。また、ＲＯＭ１０３には、システムプログラムやアプリケーションプログラムが格納される場合や、フォント等、画像形成装置に必要な情報が格納される場合もある。ＨＤＤ１０４は、ハードディスクドライブであり、オペレーティングシステム、システムソフトウェア、アプリケーションソフトウェア、画像データ、及び設定データ等を格納する。
【００１０】
ＲＡＭ１０２に展開されたプログラムは、ＣＰＵ１０１によって実行され、ＲＡＭ１０２や、ＲＯＭ１０３、ＨＤＤ１０４に格納されたデータ（画像データ等）を処理する。また、小型の画像形成装置では、ＨＤＤ１０４を搭載せずにシステムソフトウェアや、アプリケーションソフトウェア等をＲＯＭ１０３に格納する構成（ハードディスクレスの構成）をとる場合もある。あるいは、ＨＤＤ１０４の代わりに、ＳＳＤ（Ｓｏｌｉｄ  Ｓｔａｔｅ  Ｄｉｓｋ）等、フラッシュメモリのようなハードディスク以外の記憶装置を用いた構成でも構わない。
【００１１】
コントローラユニット１００は、ＣＰＵ１０１、ＲＡＭ１０２、ＲＯＭ１０３、及びＨＤＤ１０４の他に、操作部Ｉ／Ｆ（インターフェース）１０５、デバイスＩ／Ｆ１０７、ネットワークＩ／Ｆ１１０、及び無線Ｉ／Ｆ１１２を有する。
操作部Ｉ／Ｆ１０５は、操作部１０６と相互に接続される。操作部１０６は、画像形成装置の状態をユーザに報知したり、ユーザからの操作を受け取ったりするタッチパネル等の表示装置や、画像形成装置に指示を与えるための操作ボタン等の画像形成装置を操作するための装置を有する。
【００１２】
デバイスＩ／Ｆ１０７は、画像入出力デバイスであるスキャナ１０８やプリンタ１０９と、コントローラユニット１００とを相互に接続し、画像データの入力や出力を行う。スキャナ１０８からデバイスＩ／Ｆ１０７を介して入力された画像データは、ＲＡＭ１０２やＨＤＤ１０４に格納される。ＲＡＭ１０２に格納されたアプリケーションプログラムにより、必要に応じて、ＲＡＭ１０２やＨＤＤ１０４に格納された画像データに対して、画像処理等が実行される。また、画像データは、デバイスＩ／Ｆ１０７を介してプリンタ１０９へ出力される。
【００１３】
ネットワークＩ／Ｆ１１０はＬＡＮに接続される。ネットワークＩ／Ｆ１１０は、ＬＡＮ上の外部機器に記憶されている画像データや、画像形成装置を制御する情報等の入出力を行う。無線Ｉ／Ｆ１１２は、他の無線Ｉ／Ｆを持つ外部機器と無線通信により相互にデータをやり取りするためのＩ／Ｆである。尚、無線Ｉ／Ｆの種類は、無線ＬＡＮや、ＮＦＣ、ＢｌｕｅＴｏｏｔｈ（登録商標）、赤外線通信等があり、限定されるものではない。
【００１４】
図１に図示されていない構成であっても、本発明の効果が満たされるのであれば、画像形成装置の構成は、図１の構成に限られない。例えば、ＦＡＸ機能を持つ画像形成装置の場合には、図示していないモデム装置向けのＩ／Ｆをコントローラユニット１００に具備させる。コントローラユニット１００は、モデムによって公衆回線と接続して、ＦＡＸによる情報の伝送を行う。また、フラッシュメモリカード等に格納されたデータを読み出してプリントすることを可能とするために、コントローラユニット１００は、図示していないＵＳＢ  Ｉ／Ｆを具備してもよい。
【００１５】
図２は、情報処理装置のハードウェアの構成の一例を示す図である。本実施形態では、図２は、後述する図３におけるクライアントＰＣ３０２、モバイル端末３０３の内部構成の一例を示す図である。
ＣＰＵ２０２は、後述する情報処理を行う。ＲＡＭ２０３は、ＣＰＵ２０２のワークエリアを提供する。ＲＯＭ２０４には、ブートプログラムやアプリケーションプログラムが格納される。補助記憶装置２０５は、本実施形態における制御プログラムを提供する装置である。補助記憶装置２０５は、例えば、ハードディスク、フラッシュメモリ、フロッピー（登録商標）ディスク、ＣＤ-ＲＯＭ等である。
【００１６】
画像表示装置２０７は、ユーザにメッセージを通知する目的で使用される装置である。画像表示装置２０７は、例えば、ＣＲＴディスプレイ又は液晶ディスプレイ等である。入力装置２０６は、ユーザが入力（操作）する装置である。入力装置２０６は、例えば、操作パネル、マウス、及びキーボードの少なくとも何れか１つを具備する。
ネットワークＩ／Ｆ２０８は、ＬＡＮを介して外部機器と相互にデータをやりとりするためのＩ／Ｆである。無線Ｉ／Ｆ２０９は、他の無線Ｉ／Ｆを持つ外部機器と相互に無線通信によりデータをやり取りするためのＩ／Ｆである。尚、無線Ｉ／Ｆの種類としては、無線ＬＡＮや、ＮＦＣ、ＢｌｕｅＴｏｏｔｈ（登録商標）、赤外線通信等があり、限定されるものではない。メインバス２０１は、以上の情報処理装置の各デバイスを相互に通信可能に接続するためのものである。
【００１７】
図３は、本実施形態の画像処理システムの構成の一例を示す図である。本実施形態では、ユーザが情報端末を使用して画像形成装置を使用する場合を例に挙げて説明する。
ＬＡＮ３０１には、クライアントＰＣ３０２、アクセスポイント３０４、及び画像形成装置３０５ａ、３０５ｂ、３０５ｃが接続される。また、モバイル端末３０３は、画像形成装置３０５ａ、３０５ｂ、３０５ｃと通信を行う情報端末の１つである。モバイル端末３０３と画像形成装置３０５ａ、３０５ｂ、３０５ｃとの間の通信手段は、特に限定されない。
【００１８】
例えば、モバイル端末３０３が、アクセスポイント３０４を介してＬＡＮ３０１に接続することにより、画像形成装置３０５ａ、３０５ｂ、３０５ｃと通信する方法を採用することができる。また、画像形成装置３０５ａ、３０５ｂ、３０５ｃが持つ無線Ｉ／Ｆ１１２を使用して、モバイル端末３０３が、画像形成装置３０５ａ、３０５ｂ、３０５ｃと直接通信する方法を採用してもよい。また、モバイル端末３０３が、画像形成装置３０５ａ、３０５ｂ、３０５ｃの無線Ｉ／Ｆ１１２を使用して画像形成装置のＩＰアドレスを取得し、このＩＰアドレスを使用してアクセスポイント３０４を介して画像形成装置と通信する方法を採用してもよい。このようにする場合には、複数のＩ／Ｆが併用される。
【００１９】
ここで、スキャンデータを、指定された宛先へ送信する機能（以下の説明では、この機能を必要に応じてセンド機能と称する）を例に挙げて、ユーザの操作の一例を説明する。センド機能は、例えば、以下の（Ｉ）、（II）、（III）のような設定で実行される（以下の説明では、この実行の内容を必要に応じて「センド１」と称する）。
（Ｉ）スキャンしたデータをメールに添付して３つの特定の宛先へ送信する。
（II）ファイルフォーマットは、ＸＰＳであり、解像度は、３００ｄｐｉである。
（III）スキャン原稿は両面の原稿である。
ユーザが操作部１０６を使用して、センド１の動作を画像形成装置３０５ａ、３０５ｂ、３０５ｃに指示する場合、一例として以下のような操作を行う。
【００２０】
−センド１を実行する場合の画像形成装置３０５ａに対するユーザの操作−
画像形成装置３０５ａには、宛先１〜３がアドレス帳に登録されており、スキャンする面のデフォルトの設定が片面であり、ファイルフォーマットのデフォルトの設定がＰＤＦであり、スキャンデータの解像度のデフォルトの設定が３００ｄｐｉであるとする。尚、ここでは、Ａ１、Ａ２、Ａ３、Ａ４、Ａ５、Ａ６、Ａ７、Ａ８、Ａ９の順番で操作が行われるものとする。尚、Ａ２〜Ａ８の操作順は順不同である。
【００２１】
（センド１−Ａ１）センド機能の画面を開く。
（センド１−Ａ２）宛先１をアドレス帳から選択する。
（センド１−Ａ３）宛先２をアドレス帳から選択する。
（センド１−Ａ４）宛先３をアドレス帳から選択する。
（センド１−Ａ５）画像形成装置３０５ａのスキャン面のデフォルトの設定が片面なので、スキャン面を両面に設定する。
（センド１−Ａ６）画像形成装置３０５ａのファイルフォーマットのデフォルトの設定がＰＤＦであるため、ファイル形式としてＸＰＳを指定する。
（センド１−Ａ７）画像形成装置３０５ａのスキャンデータの解像度のデフォルトの設定が３００ｄｐｉであるため、設定せずにそのままとする。
（センド１−Ａ８）原稿をスキャナに置く。
（センド１−Ａ９）スタートキーを押下する。
【００２２】
−センド１を実行する場合の画像形成装置３０５ｂに対するユーザの操作−
画像形成装置３０５ｂには、宛先１〜３がアドレス帳に登録されておらず、スキャンする面のデフォルトの設定が両面であり、ファイルフォーマットのデフォルトの設定がＸＰＳであり、スキャンデータの解像度のデフォルトの設定が３００ｄｐｉであるとする。尚、ここでは、Ｂ１、Ｂ２、Ｂ３、Ｂ４、Ｂ５、Ｂ６、Ｂ７、Ｂ８、Ｂ９の順番で操作が行われるものとする。尚、Ｂ２〜Ｂ８の操作順は順不同である。
【００２３】
（センド１−Ｂ１）センド機能の画面を開く。
（センド１−Ｂ２）宛先１がアドレス帳にないため、操作部１０６を操作して宛先１を入力する。
（センド１−Ｂ３）宛先２がアドレス帳にないため、操作部１０６を操作して宛先２を入力する。
（センド１−Ｂ４）宛先３がアドレス帳にないため、操作部１０６を操作して宛先３を入力する。
（センド１−Ｂ５）画像形成装置３０５ｂのスキャン面のデフォルトの設定は両面なので、設定せずにそのままとする。
（センド１−Ｂ６）画像形成装置３０５ｂのファイルフォーマットのデフォルトの設定はＸＰＳであるため、設定せずにそのままとする。
（センド１−Ｂ７）画像形成装置３０５ｂのスキャンデータの解像度のデフォルトの設定は３００ｄｐｉであるため、設定せずにそのままとする。
（センド１−Ｂ８）原稿をスキャナに置く。
（センド１−Ｂ９）スタートキーを押下する。
【００２４】
−センド１を実行する場合の画像形成装置３０５ｃに対するユーザの操作−
画像形成装置３０５ｃには、宛先１〜３がアドレス帳に登録されておらず、スキャンする面のデフォルトの設定が片面であり、ＸＰＳ形式のファイルを生成する能力がなく、スキャンデータの解像度のデフォルトの設定が３００ｄｐｉであるとする。尚、ここでは、Ｃ１、Ｃ２、Ｃ３、Ｃ４、Ｃ５、Ｃ６、Ｃ７、Ｃ８、Ｃ９の順番で操作が行われるものとする。尚、Ｃ２〜Ｃ８の操作順は順不同である。
【００２５】
（センド１−Ｃ１）センド機能の画面を開く。
（センド１−Ｃ２）宛先１がアドレス帳にないため、操作部１０６を操作して宛先１を入力する。
（センド１−Ｃ３）宛先２がアドレス帳にないため、操作部１０６を操作して宛先２を入力する。
（センド１−Ｃ４）宛先３がアドレス帳にないため、操作部１０６を操作して宛先３を入力する。
（センド１−Ｃ５）画像形成装置３０５ｃのスキャン面のデフォルトの設定は片面なので、両面に設定する。
（センド１−Ｃ６）画像形成装置３０５ｃにはＸＰＳファイル生成の能力がないため、ファイル形式としてＰＤＦを指定する。
（センド１−Ｃ７）画像形成装置３０５ｃのスキャンデータの解像度のデフォルトの設定は３００ｄｐｉであるため、設定せずにそのままとする。
（センド１−Ｃ８）原稿をスキャナに置く。
（センド１−Ｃ９）スタートキーを押下する。
【００２６】
このように画像形成装置３０５ａ、３０５ｂ、３０５ｃにおける、センド１に関連するデフォルトの設定や能力が同じでない限り、ユーザが行う操作も画像形成装置３０５ａ、３０５ｂ、３０５ｃ毎に異なる。
次に、画像形成装置３０５ａが前記センド１の実行を指示するために必要な設定情報をプリセットデータとして不揮発性の領域（例えばＨＤＤ１０４）に保持している場合の画像形成装置３０５ａに対するユーザの操作の一例について説明する。以降、ある特定の機能に対して動作の内容を指示するデータ（機能を実行するために必要な設定の内容を示すデータ）を設定情報と呼ぶ。ユーザは以下のような操作でセンド１を実行できる。
【００２７】
−センド１のプリセットデータを使用したユーザの操作−
（センド１−Ｄ１）原稿をスキャナに置く。
（センド１−Ｄ２）センド１のプリセットデータを呼び出して実行するための操作を行う。
【００２８】
センド１のプリセットデータが画像形成装置３０５ｂに設定されていない場合に、画像形成装置３０５ｂを使用してセンド１を実行する場合には、前述した（センド１−Ｂ１）〜（センド１−Ｂ９）の操作を行う必要がある。このようにプリセットデータの設定状況によって、画像形成装置に対してユーザが行う必要な操作が大きく変わる。
【００２９】
ここで、本実施形態の情報端末と画像形成装置を使用するユーザの操作の一例について説明する。
前記センド１の実行を指示するために必要な設定情報（プリセットデータ）を、モバイル端末３０３の補助記憶装置２０５（フラッシュメモリ等の記憶領域）に保存するための操作を行う。
【００３０】
例えば、モバイル端末３０３は、画像形成装置の不揮発性の記憶領域に保存されているプリセットデータを、画像形成装置のネットワークＩ／Ｆ１１０とモバイル端末３０３のネットワークＩ／Ｆ２０８とを介して入力し補助記憶装置２０５に保存する。また、ネットワークＩ／Ｆ１１０、２０８の代わりに、画像形成装置の無線Ｉ／Ｆ１１２とモバイル端末３０３の無線Ｉ／Ｆ２０９を用いてもよい。また、モバイル端末３０３のＲＯＭ２０４に格納されているプログラムと、画像表示装置２０７及び入力装置２０６とを使用して、ユーザが任意にプリセットデータを作成できるようにしてもよい。また、モバイル端末３０３は、ＬＡＮ３０１に接続されている不図示のサーバーの不揮発性の記憶領域に保存されているプリセットデータを、ネットワークＩ／Ｆ２０８又は無線Ｉ／Ｆ２０９を介して入力し、補助記憶装置２０５に保存してもよい。
【００３１】
ユーザは、モバイル端末３０３を操作して、以上のようにして補助記憶装置２０５のフラッシュメモリ等の記憶領域に保存された設定情報（プリセットデータ）を、画像形成装置へ送信させる。設定情報を受信した画像形成装置は、当該設定情報に従って設定され動作する。このときのユーザの操作の一例は以下のようになる。
【００３２】
−モバイル端末３０３を使用して画像形成装置に対するセンド１を実行する場合のユーザ操作−
（センド１−Ｅ１）原稿をスキャナに置く。
（センド１−Ｅ２）モバイル端末３０３からセンド１の設定情報を画像形成装置へ送信する。
【００３３】
設定情報には、センド１の設定の内容が指示されている。このため、センド１の実行を指示する際にユーザは、画像形成装置のデフォルト値の設定について考慮する必要はない。また、画像形成装置のプリセットデータを使用していないため、プリセットデータの設定状況にユーザの操作は影響を受けない。さらに、前述した例では、画像形成装置３０５ｃは、ＸＰＳ形式のファイルを生成する能力を持たない。このような場合、本実施形態では、画像形成装置３０５ｃは、受信した設定情報に対して補正処理を行うことにより、ユーザの操作への影響を低減する。具体的に前述した例では、画像形成装置３０５ｃは、生成するファイルフォーマットの指定を、ＸＰＳからＰＤＦに補正する。このとき、設定情報とは異なるファイルフォーマットになるため、ユーザに確認を求めてからセンド１を実行するようにしてもよい。これにより、各画像形成装置３０５ａ、３０５ｂ、３０５ｃの持つ能力やデフォルトの設定の違いに対して、モバイル端末３０３が保持する設定情報を変更する必要がなくなる。つまり、ユーザは、モバイル端末３０３に対する同一の操作で、画像形成装置３０５ａ、３０５ｂ、３０５ｃに対して、センド１の実行を指示することができる。
【００３４】
次に、クライアントＰＣ３０２から画像形成装置に対して設定情報を送信する場合を説明する。例えば、ユーザから画像形成装置のコールセンタに問い合わせがあった際に、コールセンタ側から画像形成装置に対して設定情報を設定する場合がこの場合に該当する。ユーザがコピー機能の製本設定等、複雑な設定についてコールセンタに電話で質問をした場合、従来は、その設定を行うための内容を口頭もしくはメール等で回答していた。これに対し、本実施形態の画像処理システムでは、クライアントＰＣ３０２から設定情報を送信し、ユーザの画像形成装置に設定情報を直接設定することにより、ユーザに対するサポートを正確かつ迅速に行うことができる。尚、クライアントＰＣ３０２における設定情報に対する処理は、モバイル端末３０３における設定情報に対する処理と同様にして実現できるので、ここでは、クライアントＰＣ３０２における設定情報に対する処理の詳細な説明を省略する。
【００３５】
図４は、画像形成装置４００の機能的な構成の一例を示す図である。画像形成装置４００は、画像形成装置３０５ａ、３０５ｂ、３０５ｃを総称するものである。図５は、情報端末５００の機能的な構成の一例を示す図である。情報端末５００は、クライアントＰＣ３０２及びモバイル端末３０３を総称するものである。ここでは、画像形成装置４００を制御するプログラム４０１、４０２、４０３、４０４、４０５は、ＣＰＵ１０１によって動作するものとする。また、情報端末５００を制御するプログラム５０１、５０２、５０３、５０４は、ＣＰＵ２０２によって動作するものとする。図４と図５を参照しながら、情報端末５００から画像形成装置４００を制御する動作の一例を説明する。
【００３６】
まず、モバイル端末３０３（情報端末５００）の動作の一例を説明する。
モバイル端末３０３は、画像形成装置４００の各設定項目に対応するエレメントを、保存部５０３により１つ以上保存する。エレメントに関しては後述する。設定情報は、エレメントを１つ以上含む。モバイル端末３０３は、表示部５０４により設定情報をユーザに対して表示する。表示部５０４によって表示された設定情報は、編集部５０５によって編集される。編集部５０５は、画像形成装置４００にて実行できない設定があった場合に実行される補正処理の制御情報を、モバイル端末３０３に送信する設定情報に付与することや、送信先やカラーモード等の設定情報を編集することができる。
【００３７】
次に、ユーザが入力装置２０６を使用して設定情報を１つ以上選択すると、保存部５０３は、選択された設定情報に含まれる全てのエレメントを生成部５０２へ出力する。生成部５０２は、保存部５０３から入力された前記エレメントに基づいて、画像形成装置４００へ送信する設定情報を生成する。次に、ユーザは入力装置２０６を使用して特定の画像形成装置４００に対する設定情報の送信を指示する。画像形成装置４００の特定の方法は限定されない。例えば、モバイル端末３０３に画像形成装置４００のＩＰアドレスを持たせたり、ＮＦＣを使用して特定の画像形成装置４００との通信チャネルを確立させたりする等の方法で画像形成装置４００を特定することができる。ここでは特定された画像形成装置４００が画像形成装置３０５ａである場合を例に挙げて説明する。ユーザから、設定情報の送信の指示を受けると、送信部５０１は、前記生成した設定情報を前記特定された画像形成装置３０５ａへ送信する。
【００３８】
次に、画像形成装置４００の動作の一例を説明する。前述したように、ここでは、画像形成装置３０５ａを例に挙げて画像形成装置４００の動作の一例を説明する。
画像形成装置３０５ａの受信部４０１は、モバイル端末３０３から送信された設定情報を受信する。受信部４０１は、前記設定情報を機能特定部４０２へ出力する。
機能特定部４０２は、受信部４０１から入力した前記設定情報から、実行する対象となる機能を特定する。補正部４０５は、画像形成装置３０５ａの能力と状態に基づいて前記設定情報を解析し、前記設定情報の中に、特定された前記機能を実行する際に画像形成装置３０５ａで設定することが不可能なエレメントがあるか否かを判定する。この判定の結果、前記設定情報の中に、画像形成装置３０５ａで設定することが不可能なエレメントがあると、補正部４０５は、当該エレメントを、画像形成装置３０５ａで設定することが可能なエレメントに補正する。以上の解析および補正が終了した後、設定部４０３は、設定情報に基づいて、前記機能の設定と動作の指示を行う。
【００３９】
図６Ａは、前記センド１の設定情報６００の第１の例を示す図である。
行６０１は開始タグであり、センド1の設定情報の開始を示す。
行６０２〜行６０６は、各項目とその値であり、項目とその値がエレメントである。以下に、それぞれのエレメントの詳細を説明する。
【００４０】
行６０２は、設定情報６００の対象となる機能がセンド機能であることを示す。
行６０３は、３つの宛先情報を示す。図６Ａに示す例では、３つの宛先情報として、それぞれginji@xxx.co.jp、buntaro@xxx.co.jp、goemon@xxx.co.jpが指定されている。
行６０４は、生成するファイルのフォーマットをＸＰＳに指定することを示す。
行６０５は、スキャンデータの解像度を３００ｄｐｉに指定することを示す。
行６０６は、原稿を両面でスキャンすることを指示することを示す。
行６０７は、設定情報６００に基づく設定が完了した後、ユーザによる操作部１０６からの実行開始の指示を待たずに、即実行すること指示する設定である。
行６０８は終了タグであり、センド１の設定情報６００の終了を示す。
【００４１】
図６Ｂは、画像形成装置４００にファイルを保存するボックス機能に対する設定情報６１０の第１の例を示す図である。以下の説明では、この設定情報６１０の内容を必要に応じてボックス１と称する。
行６１１、行６１５はそれぞれ、図６Ａの行６０１、６０８と同様の意味を有するものであるため、これらの詳細な説明を省略する。行６１２〜行６１４は、ボックス１の設定情報６１０のエレメントである。以下に、それぞれのエレメントの詳細を説明する。
行６１２は、設定情報６１０の対象となる機能がボックス機能であることを示す。
行６１３は、実行の内容が、目的のフォルダの表示（フォルダ移動表示）であることが指定されていることを示す。このような記述がある場合には、保存するフォルダを指定する画面（後述する図１４（ａ）を参照）が表示される。
行６１４は、表示するフォルダの場所を示す。
【００４２】
図６Ｃは、ボックス機能の設定情報６２０の第２の例を示す図である。以下の説明では、この設定情報６２０の内容を必要に応じてボックス２と称する。
行６２１、行６２６はそれぞれ、図６Ａの行６０１、６０８と同様の意味を有するものであるため、これらの詳細な説明を省略する。行６２２〜行６２５は、ボックス２の設定情報６２０のエレメントである。以下に、それぞれのエレメントの詳細を説明する。
行６２２、行６２４はそれぞれ、図６Ｂの行６１２、６１４と同様の意味を有するものであるため、これらの詳細な説明を省略する。
行６２３は、実行内容が、原稿をスキャンし、そのスキャンしたデータをＢｏｘへ保存する動作であることが指定されていることを示す。以下の説明では、この動作を必要に応じてＳｃａｎＴｏＢｏｘと称する。このような記述がある場合には、行６１３のような記述がある場合と異なり、保存するフォルダを指定する画面（後述する図１４（ａ）を参照）が表示されずに、スキャンに関わる設定を行う画面（後述する図１４（ｂ）を参照）が表示される。
行６２５は、原稿のスキャンを両面で行うことが指定されていることを示す。
【００４３】
図６Ｄは、コピー機能の設定情報６３０の一例を示す図である。以下の説明では、この設定情報６３０の内容をコピー１と称する。
行６３１、行６３５はそれぞれ、図６Ａの行６０１、６０８と同様の意味を有するものであるため、これらの詳細な説明を省略する。
行６３２〜行６３４は、コピー１の設定情報６３０のエレメントである。以下に、それぞれのエレメントの詳細を説明する。
行６３２は、設定情報６３０の対象となる機能がコピー機能であることを示す。
行６３３は、製本プリントの設定がＯＮであることを示す。
行６３４は、製本プリントの開き方が「左開き」に設定されていることを示す。
【００４４】
図６Ｅは、センド１の設定情報６４０の第２の例を示す図である。
行６４１〜行６４８はそれぞれ、図６Ａの行６０１〜行６０８と同様の意味を有するものであるため、これらの詳細な説明を省略する。
行６４９、行６５０は、補正処理時の制御方法を示す。行６４９は、行６４４で指定されたフォーマットで、ファイルを生成できない場合、センド１の実行を中止することを示す。行６５０は、生成するスキャンデータの解像度を行６４５で指定された解像度にすることができない場合、確認画面を表示することを示す。
【００４５】
図７は、画像形成装置４００と情報端末５００における動作の概要の一例を説明するフローチャートである。
情報端末５００が設定情報の選択と送信の指示をユーザから受けると、ステップＳ７２１において、生成部５０２は、設定情報を生成する。
その後、ステップＳ７１１において、画像形成装置４００の受信部４０１は、情報端末５００との通信チャネルを確立し、ステップＳ７２２において、情報端末５００の送信部５０１は、画像形成装置４００との通信チャネルを確立する。通信チャネルの確立は、例えば、ＴＣＰ／ＩＰ、ＮＦＣ、ＢｌｕｅＴｏｏｔｈ（登録商標）等の通信プロトコルの内容に従って行われるものであり、公知の技術で実現することができる。このようにして画像形成装置４００と情報端末５００との間の通信チャネルが確立する。
【００４６】
その後、ステップＳ７２３において、情報端末５００の送信部５０１は、確立した通信チャネルを用いて、ステップＳ７２１で生成した設定情報を画像形成装置４００へ送信する。ステップＳ７１２において、画像形成装置４００の受信部４０１は、設定情報を受信するまで待機する。そして、画像形成装置４００の受信部４０１は、設定情報を受信すると、ステップＳ７１３において、ステップＳ７１１で確立した通信チャネルを終了させる。また、ステップＳ７２４において、情報端末５００の送信部５０１は、ステップＳ７２２で確立した通信チャネルを終了させる。そして、情報端末５００は、処理を終了させる。一方、ステップＳ７１４において、画像形成装置４００は、ステップＳ７１２で受信した前記設定情報に従って、設定／実行処理を実行した後、処理を終了させる。
【００４７】
図８は、画像形成装置４００におけるステップＳ７１４（設定／実行処理）の詳細の一例を説明するフローチャートである。
ステップＳ８０１において、機能特定部４０２は、ステップＳ７１２で受信した前記設定情報で指定されている機能を判定する。
この判定の結果、前記設定情報で指定されている機能が、コピー機能、ボックス機能、センド機能である場合には、それぞれ、ステップＳ８０２のコピー機能処理、ステップＳ８０３のボックス機能処理、ステップＳ８０４のセンド機能処理を行う。また、前記設定情報で指定されている機能が、コピー機能、ボックス機能、センド機能以外の機能である場合には、ステップＳ８０５のその他の機能処理を行う。
【００４８】
ステップＳ８０２、Ｓ８０３、Ｓ８０４、又はＳ８０５の処理が終了すると、設定／実行処理を終了する。図６Ａに示した設定情報６００の例では行６０２でセンド機能が指定されている。このため、設定情報６００を受信した場合にはステップＳ８０４に進むことになる。同様に、設定情報６１０、６２０を受信した場合には、ステップＳ８０３へ、設定情報６３０を受信した場合にはステップ８０２へ、設定情報６４０を受信した場合にはステップ８０４へ、それぞれ進む。
【００４９】
図９は、図８のステップＳ８０４（センド機能処理）の詳細の一例を説明するフローチャートである。
ステップＳ９０１において、補正部４０５は、補正処理を行う。
次に、ステップＳ９０２において、設定部４０３は、センド機能の前記設定情報に従った設定値をセットする。図６Ａに示した設定情報６００を受信した場合、設定部４０３は、宛先の設定値として、ginji@xxx.co.jp、buntaro@xxx.co.jp、goemon@xxx.co.jpの３つを設定する。また、設定部４０３は、生成するファイルのフォーマットの設定値としてＸＰＳを設定すると共に、解像度の設定値を３００ｄｐｉに設定する。
【００５０】
次に、ステップＳ９０３において、設定部４０３は、前記設定情報で即実行が指示されているか否かを判定する。この判定の結果、前記設定情報で即実行が指示されている場合には、ステップＳ９２０へ進む。一方、前記設定情報で即実行が指示されておらず、設定のみが指示されている場合には、ステップＳ９１０へ進む。例えば、図６Ａに示した設定情報６００を受信した場合、行６０７で即実行を指示されているため、ステップＳ９２０へ進む。
【００５１】
ステップＳ９１０に進むと、画面表示部４０４は、ステップＳ９０２で設定された内容を確認する設定確認画面を作成する。このようにステップＳ９１０に進んだ場合には、そして、実行の可否をユーザに確認した上でジョブの実行を開始する。後述するステップＳ９３０に進む。
一方、ステップ９２０に進むと、設定部４０３は、ステップ９０２で設定された内容（設定値）に基づいて、ジョブの実行を開始する。このようにステップＳ９２０に進んだ場合には、実行の可否をユーザに確認せずにジョブの実行を開始する。そして、ステップＳ９２１において、画面表示部４０４は、前記ジョブの実行状況を表示する実行中画面を作成する。そして、ステップＳ９３０に進む。
ステップ９３０に進むと、画面表示部４０４は、操作部１０６に表示する画面をセンド機能の画面へ遷移させる。つまり、操作部１０６でどのような画面を表示していたとしても、ステップＳ９１０又はステップＳ９２１で作成された画面に、操作部１０６の表示が切り替わる。
尚、図８のステップＳ８０２のコピー機能処理は、図９の各ステップにおいて、センド機能の処理をコピー機能の処理に置き替えることにより実現できる。したがって、コピー機能処理については、フローチャートの図示と、その詳細な説明を省略する。
【００５２】
図１０は、図８のステップＳ８０３（ボックス機能処理）の詳細の一例を説明するフローチャートである。
ステップＳ１００１において、補正部４０５は、補正処理を行う。
次に、ステップ１００２において、設定部４０３が、ボックス機能の設定情報により要求される処理の内容を判定する。この判定の結果、要求される処理が、ジョブの設定と実行の要求であれば、ステップＳ１０１０へ進む。また、要求される処理が、ボックス内のフォルダの内容の表示の要求であれば、ステップＳ１０２０へ進む。また、要求される処理が、その他の要求であれば、ステップＳ１０３０へ進む。尚、ステップＳ１０１０〜Ｓ１０１４の処理は、図９のステップＳ９０２以降の処理と同じであるため、その詳細な説明を省略する。
【００５３】
ステップＳ１０２０に進むと、画面表示部４０４は、指定されたフォルダの内容を表示する画面を作成する。また、ステップＳ１０３０に進むと、その他の処理が行われる。その他の処理では、要求された処理に応じた画面が作成される。ステップＳ１０１２、Ｓ１０１４、Ｓ１０２０、Ｓ１０３０を終了した後、ステップＳ１０１５へ進む。ステップＳ１０１５において、画面表示部４０４は、操作部１０６に表示する画面を、ボックス機能の画面へ遷移させる。つまり、操作部１０６でどのような画面を表示していたとしても、ステップＳ１０１２、Ｓ１０１４、Ｓ１０２０、Ｓ１０３０で作成した画面に、操作部１０６の表示が切り替わる。
図９、図１０を参照しながら説明したように、本実施形態の画像形成装置４００は、情報端末５００から受信した設定情報にて要求された機能とその機能による処理の内容とに応じた表示項目および値を有する画面を操作部１０６に表示する。
【００５４】
図１１は、図９のステップＳ９０１、図１０のステップＳ１００１の補正処理の詳細の一例を説明するフローチャートである。
ステップＳ１１０１において、補正部４０５は、図７のステップＳ７１２で受信した設定情報のエレメントを全て調査したか否かを判定する。この判定の結果、設定情報のエレメントを全て調査した場合には、図１１のフローチャートによる処理を終了する。
【００５５】
一方、設定情報のエレメントを全て調査していない場合には、ステップＳ１１０２へ進む。ステップＳ１１０２に進むと、補正部４０５は、対象となるエレメントに関する能力を画像形成装置４００が保持しているか否かを判定する。この判定の結果、エレメントに関する能力を画像形成装置４００が保持している場合には、後述するステップＳ１１０９へ進む。
【００５６】
一方、エレメントに関する能力を画像形成装置４００が保持していない場合には、ステップＳ１１０３に進み、補正部４０５は、ステップＳ７１２で受信した設定情報に、補正処理時の制御方法が指定されているか否かを判定する。この判定の結果、補正処理時の制御方法が設定情報に指定されていない場合には、ステップＳ１１０８へ進み、補正部４０５は、前記エレメントの値を、画像形成装置４００の能力に応じた設定値に変更する。例えば、ＸＰＳ形式のファイルの生成を行う能力を持たない画像形成装置４００が、図６Ａに示した設定情報６００を受信したとする。この場合、設定情報６００には、補正処理時の制御方法が指定されていないため、補正部４０５は、行６０４のエレメントの値をｐｄｆに変更する。そして、後述するステップＳ１１０９に進む。
【００５７】
一方、ステップＳ１１０３において、補正処理時の制御方法が設定情報に指定されていると判定された場合には、ステップＳ１１０４に進む。ステップＳ１１０４に進むと、補正部４０５は、設定情報において指定されている補正処理時の制御方法が「中止」なのか「確認」なのかを判定する。
補正処理時の制御方法が「中止」であることは、実行できない設定が存在する場合、実行を中止することを表す。例えば、３００ｄｐｉ以上の解像度のデータを生成する能力を持たない画像形成装置４００が図６Ｅに示した設定情報６４０を受信したとする。この場合、ステップＳ１１０５において、画面表示部４０４は、実行できない設定がある旨を操作部１０６に表示する。そして、図１１のフローチャートによる処理を省略する。この場合には、図９のステップＳ９０２以降の処理、図１０のステップＳ１００２以降の処理は実行されない。
【００５８】
一方、補正処理時の制御方法が「確認」である場合には、ステップＳ１１０６に進み、画面表示部４０４は、補正を許可するか否かをユーザに選択させるための補正処理確認画面を操作部１０６に表示する。例えば、ＸＰＳ形式のファイルを生成する能力を持たない画像形成装置４００が、図６Ｅに示した設定情報６４０を受信したとする。この場合、ステップＳ１１０６において、画面表示部４０４は、ファイル形式をｐｄｆに変更するか否かをユーザに選択させるための補正処理確認画面を表示する。また、補正処理確認画面において、画像形成装置４００が実行できる設定の複数の候補の１つをユーザに選択させてもよい。
そして、ステップＳ１１０７において、設定部４０３は、補正処理確認画面に対するユーザの操作により、補正が許可されたか否かを判定する。この判定の結果、補正が許可された場合には、ステップＳ１１０８に進む。ステップＳ１１０８に進むと、補正部４０５は、前記エレメントの値を能力に応じた設定値に変更する。そして、後述するステップＳ１１０９に進む。
【００５９】
一方、補正が許可されなかった場合には、図１１のフローチャートによる処理を終了する。この場合には、図９のステップＳ９０２以降の処理、図１０のステップＳ１００２以降の処理は実行されない。
ステップ１１０９に進むと、補正部４０５は、対象となるエレメントの値と排他関係にある設定があるか否かを判定する。この判定の結果、対象となるエレメントの値と排他関係にある設定がない場合には、ステップＳ１１０１に戻り、未調査のエレメントがあるか否かを判定する。一方、対象となるエレメントの値と排他関係にある設定がある場合には、ステップＳ１１１０に進み、補正部４０５は、当該排他関係を解消する処理を行う。
【００６０】
図６Ｄに示した設定情報６３０を例に挙げて、排他関係を解消する処理の一例を説明する。画像形成装置４００において、製本設定と地紋設定とは排他関係にあるものとする。また、画像形成装置４００には、印刷するページに強制的に地紋を印字する「強制地紋設定」が設定されていたとする。
設定情報６３０には、行６３３に製本設定のエレメントがある。つまり、設定情報６３０を受信した画像形成装置４００は、排他関係にある設定情報を受信している。このような場合、補正部４０５は、設定情報６３０の製本設定のエレメントと当該エレメントに関連するエレメントとを削除することにより、排他関係にある設定を解消する。設定情報６３０の例では、行６３３、行６３４が削除される。ステップＳ１１１０の処理を終了すると、ステップＳ１１０１へ戻り、未調査のエレメントがあるか否かを判定する。
【００６１】
尚、ステップＳ１１０３からＳ１１０８に進む前に、ステップＳ１１０６と同様に、補正処理確認画面を操作部１０６に表示し、補正処理確認画面に対するユーザの操作により、補正が許可された場合に限り、ステップＳ１１０８に進むようにしてもよい。また、ステップＳ１１０９からステップＳ１１１０に進む前にも同様にユーザの確認をとるようにしてもよい。すなわち、排他関係にある設定を解消するための処理の内容（例えば行６３３、６３４の削除）を示す画面を操作部１０６に表示し、当該画面に対するユーザの操作により、当該処理の実行が許可された場合に限り、ステップＳ１１１０に進むようにしてもよい。
【００６２】
また、ステップＳ１１１０では、排他関係にある設定を解消するための処理として設定情報を変更するようにしたが、画像形成装置４００の設定を変更できる場合には、画像形成装置４００の設定を変更してもよい。
また、補正処理時の制御方法は、前述した「中止」、「確認」以外の内容であってもよい。例えば、画像形成装置４００の判断で設定を変更することを許可することを、補正処理時の制御方法としてもよい。この場合には、例えば、図１１のステップＳ１１０３で、補正処理時の制御方法が、このような内容であるか否かを判定する。
【００６３】
図１２は、モバイル端末３０３の表示画面に表示される設定情報生成画面の一例を示す図である。
項目１２０１〜１２０６は、モバイル端末３０３に保存されている設定情報を表す。図１２に示す例では、項目１２０１が選択されている。また、設定情報の送信先は、領域１２１０に表示される。また、ボタン１２２０は、設定情報の送信を指示するためのものである。ここでは説明のため、この送信先を画像形成装置３０５ａとする。加えて、項目１２０１は、センド１、項目１２０２は、ボックス１、項目１２０３は、コピー１、項目１２０５は、ボックス２の設定情報であるとする。
【００６４】
図１３、図１４は、画像形成装置４００が情報端末５００から設定情報を受信し、設定情報で実行が指定された機能に関する情報を表示する画面の一例を示す図である。図１３は、センド機能の画面の一例を示し、図１４（ａ）と図１４（ｂ）は、ボックス機能の画面の一例を示す。
【００６５】
以降、図１２、図１３、及び図１４を用いて、モバイル端末３０３におけるユーザの操作と、画像形成装置３０５ａにおける画面の遷移の一例を説明する。
ユーザは、画像形成装置３０５ａに原稿をセットし、モバイル端末３０３の項目１２０１を選択してボタン１２２０を押下する。するとモバイル端末３０３は、センド１の設定情報６００を画像形成装置３０５ａへ送信する。
【００６６】
画像形成装置３０５ａは、モバイル端末３０３から受信した設定情報６００に基づいてセンド機能を設定し、行６０７の指定により、ユーザによるスタート操作を待たずに、センド１の実行を開始する。図１３は、その際に画像形成装置３０５ａの操作部１０６に表示される画面１３００の一例を示す。ポップアップダイアログ１３０１は、センド１を実行中であることを表すものであり、実行中の設定と、現在の読み込み済みのページ数とを表示する。表示１３０２では、センド１の設定情報６００の行６０３で指定されている宛先の総数が表示される。このように表示１３０２は、センド１の設定情報６００の行６０３を反映する。
【００６７】
ユーザが、図１２に示す項目１２０２を選択してボタン１２２０を押下すると、モバイル端末３０３は、ボックス１の設定情報６１０を画像形成装置３０５ａへ送信する。画像形成装置３０５ａは、モバイル端末３０３から受信した設定情報６１０の行６１２、行６１３に従って、ボックス機能のＳｃａｎＴｏＢｏｘ機能に制御が移り、行６１４で指定されているフォルダの内容を画面に表示する。図１４（ａ）は、その際に画像形成装置３０５ａの操作部１０６に表示されるスキャン画面１４００の一例を示す。表示１４０１は、行６１４で指定されているフォルダの階層及び名称を表示する。このように表示１４０１は、ボックス１の設定情報６１０の行６１４を反映する。表示１４０２はフォルダ内に保存されているファイルを表示するリストである。図１４（ａ）に示す原稿読込ボタン１４０３が押下されると、図１４（ｂ）に示すようなスキャンに関する設定を行うためのスキャン画面が表示される。
【００６８】
また、ユーザが、図１２に示す項目１２０５を選択してボタン１２２０を押下すると、モバイル端末３０３は、ボックス２の設定情報６２０を画像形成装置３０５ａへ送信する。画像形成装置３０５ａは、モバイル端末３０３から受信した設定情報６２０の行６２２、行６２３に従って、ボックス機能のＳｃａｎＴｏＢｏｘのスキャン画面へ操作部１０６の表示を遷移させる。この場合には、図１４（ａ）に示すような保存するフォルダを指定するためのスキャン画面１４００は表示されずに、図１４（ｂ）に示すスキャン画面１４１０が表示される。
【００６９】
図１４（ｂ）は、画像形成装置３０５ａの操作部１０６に表示されるスキャン画面１４１０の一例を示す。表示１４１１は、行６２５で指定されている通り、両面原稿の設定がＯＮに反映されていることを表示する。尚、スキャン画面１４１０でスキャンされたデータファイルは、行６２４に指定されたフォルダに格納される。つまり、通常の操作のようにフォルダを指定する画面（図１４（ａ）に示すスキャン画面１４００）を経てから表示する必要はなく、直接スキャン画面１４１０を表示する。
図１４（ｂ）に示すスキャン画面１４１０で設定された内容でスキャンを実行する場合、ユーザは、操作部Ｉ／Ｆ１０５及び操作部１０６に設定されているハードキー群の中にあるスタートキーを操作する。
【００７０】
図６Ｂ、図６Ｃに示すように、同一のボックス機能であっても、設定情報６１０、６２０において処理の内容として異なる内容が設定される（行６１３、６２３等を参照）。したがって、同じボックス機能であっても、その処理の内容に応じて、スキャン画面１４００が表示された後にスキャン画面１４１０が表示される場合と、スキャン画面１４００が表示された後にスキャン画面１４１０が表示される場合がある。尚、図１４（ａ）、図１４（ｂ）では、表示中の画面をスキャン画面１４００、１４１０に切り替える場合を例に挙げて説明したが、図１３に示したように表示中の画面の前面（最前面）にスキャン画面１４００、１４１０を表示してもよい。また、図１３に示した画面１３００をポップアップ表示するのではなく、表示中の画面から切り替えるようにしてもよい。
【００７１】
ユーザが、図１２に示す項目を複数選択して、画像形成装置４００（画像形成装置３０５ａ等）へ送信することもできる。例えば、ユーザが、項目１２０４と項目１２０６の２つを選択してボタン１２２０を押下すると、生成部５０２は、２つの項目１２０４、１２０６に含まれるエレメントを１つの設定情報として統合（生成）し、画像形成装置３０５ａへ送信する。前記設定情報を受信した画像形成装置３０５ａは、ホチキス設定が左辺ダブルの設定であり、カラー設定が白黒設定であることを示す情報を含むコピー機能の画面を操作部１０６に表示する。
【００７２】
以上のように本実施形態では、情報端末５００は、画像形成装置４００のプリセットの情報を設定情報として取得し記憶する。情報端末５００は、ユーザにより選択された設定情報を（画像形成装置４００に事前の問い合わせを行うことなく）画像形成装置４００に送信する。設定情報に補正処理時の制御方法の指定がない場合であって、当該設定情報で指定されている機能（エレメント）を実行する能力がない場合、画像形成装置４００は、自己の能力に応じた設定になるように設定情報を修正する。一方、設定情報に補正処理時の制御方法の指定がある場合であって、当該設定情報で指定されている機能（エレメント）を実行する能力がない場合、画像形成装置４００は、その制御方法に応じて、当該機能の中止又は当該機能の修正の確認後の修正を行う。
【００７３】
また、本実施形態では、画像形成装置４００は、情報端末５００から送信される設定情報に従って、現在どの画面を表示していたとしても、設定情報で指定された機能に関する情報を表示する画面を表示する。また、設定情報の内容に応じて、同じ機能であったとしても、別の画面を表示する。また、通常であれば複数の画面によってユーザの指示及び設定がなければ表示できない画面であったとしても、一回で表示することができる。例えば、設定情報にスキャンデータの格納先等を含めることにより、通常であれば、データの格納先を指定する画面を表示した後でなければ表示することができないスキャン画面を、データの格納先を指定する画面を表示することなく表示する。
以上のように本実施形態では、プリセットがなされていない画像形成装置４００に対して、当該プリセットによる機能を実行するための操作を、通常使用している操作と可及的に近い操作感（好ましくは同等の操作感）で行うことができる。ユーザが望まない補正処理を行うことを防ぐことができ、かつ簡易な方法で所望の処理を実行することが可能となる。
【００７４】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００７５】
（その他の実施例）
本発明は、前述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７６】
３０３：モバイル端末、３０５ａ〜３０５ｃ：画像形成装置
【図１】
2015207875.tif 000003
【図２】
2015207875.tif 000004
【図３】
2015207875.tif 000005
【図４】
2015207875.tif 000006
【図５】
2015207875.tif 000007
【図６Ａ】
2015207875.tif 000008
【図６Ｂ】
2015207875.tif 000009
【図６Ｃ】
2015207875.tif 000010
【図６Ｄ】
2015207875.tif 000011
【図６Ｅ】
2015207875.tif 000012
【図７】
2015207875.tif 000013
【図８】
2015207875.tif 000014
【図９】
2015207875.tif 000015
【図１０】
2015207875.tif 000016
【図１１】
2015207875.tif 000017
【図１２】
2015207875.tif 000018
【図１３】
2015207875.tif 000019
【図１４】
2015207875.tif 000020